(57)【要約】【課題】起動時からタッチパネル入力装置が押し続けられた異常状態であっても、入力座標を補正しながら動作継続できるようにするタッチパネル式入力表示装置を提供する。【解決手段】入力検出部３１は、タッチパネル２１の電圧値を検出して、入力の有無を検出する。また、操作スイッチ２２の入力も検出し、座標制御部３３を介して、主制御部１９に通知する。座標算出部３２は、検出された電圧値をＡ／Ｄ変換等を行なって入力位置の座標を求める。座標補正部３４は、タッチパネル２１に異常がある場合、座標算出部３２で算出した座標に対して正しい座標に補正を行なう。座標制御部３３は、タッチパネル２１が正常か異常かを判定し、異常場合には座標補正が可能か否かを判断して、補正可能な場合に座標補正部３４に座標補正を行なわせる。また、ＬＣＤ２３に表示制御部３５を介して座標処理に関する表示を行なわせる。【選択図】図１
2010277119.tif 000002
【特許請求の範囲】
【請求項１】
画像表示を行なう表示部と、その前面に配して接触入力を可能とするタッチパネル部とを備えたタッチパネル式入力表示装置において、
前記タッチパネル部への入力を検出してその入力値を出力する入力検出手段と、
前記入力値に基づいて入力位置の座標を求める座標算出手段と、
前記タッチパネル部がユーザ未入力でも常時入力となる異常状態の場合に、前記座標算出手段の入力座標を正しい値に補正する座標補正手段と、
前記入力検出手段により前記タッチパネル部の前記異常状態を判定し、異常状態である場合に前記座標算出手段が求めた常時入力の異常位置である異常座標と、ユーザの入力座標とに基づいて、前記座標補正手段により補正可能かを判定し、補正可能な場合であれば前記座標補正手段に入力座標の補正を行なわせる座標制御手段と、
を備えたことを特徴とするタッチパネル式入力表示装置。
【請求項２】
前記座標制御手段は、前記タッチパネル部が前記異常状態である場合は、ユーザに入力を指示する任意の指示位置を前記表示部に表示させ、該指示位置の座標と前記座標算出手段により算出したユーザ入力位置の座標を比較し、前記座標補正手段により補正可能であるかを判定することを特徴とする請求項１に記載のタッチパネル式入力表示装置。
【請求項３】
前記座標制御手段は、ユーザに入力を指示する任意の指示位置を、異常位置から最も遠い位置とすることを特徴とする請求項２に記載のタッチパネル式入力表示装置。
【請求項４】
前記タッチパネル部は、抵抗膜方式であり、
前記座標制御手段は、前記任意の指示位置に対するユーザ入力位置の座標が、前記異常座標と前記指示位置の座標のほぼ中間点であれば、前記座標補正手段により補正可能と判定することを特徴とする請求項２又は３に記載のタッチパネル式入力表示装置。
【請求項５】
前記座標補正手段は、異常座標を（ＸＡ，ＹＡ）、前記座標算出手段により求めたユーザ入力位置の座標を（ＸＩ，ＹＩ）、前記座標補正手段により補正した入力座標を（Ｘ，Ｙ）とすると、
Ｘ＝ＸＩ＊２−ＸＡ
Ｙ＝ＹＩ＊２−ＹＡ
と補正することを特徴とする請求項４に記載のタッチパネル式入力表示装置。
【請求項６】
前記座標制御手段は、前記タッチパネル部の異常状態により座標補正が不可能な場合は、その旨を前記表示部に表示させることを特徴とする請求項１乃至５のいずれかに記載のタッチパネル式入力表示装置。
【請求項７】
前記座標制御手段は、前記座標算出手段が求めた異常座標を前記表示部に表示させることを特徴とする請求項１乃至６のいずれかに記載のタッチパネル式入力表示装置。
【発明の詳細な説明】
【技術分野】
【０００１】
本発明は、所定内容の表示を行う表示画面機能と、この表示画面に対しユーザの接触操作により入力を行う入力操作機能を有するタッチパネル式入力表示装置に関するものである。
【背景技術】
【０００２】
近年、液晶ディスプレイやプラズマディスプレイなどの表示画面の前面に透明のタッチパネル式入力手段を備えた入力表示装置が登場している。ユーザがタッチパネルに指や専用ペンにより触れると、その入力位置を検出することができるため、画面表示と連動させて、表示画像を触ることにより入力を可能とする。そのため、直感的で操作しやすい入力装置として、様々の分野に普及している。
【０００３】
図１３に示すように、タッチパネル式入力表示装置１００は、接触による入力操作を行なうタッチパネル１０１と、液晶等の表示部１０２と、これらを支持固定する筐体１０３を備える。タッチパネル１０１の周縁部には入力動作しない非動作領域１０４が形成され、非動作領域１０４に筐体１０３の支持凸部１０３ａが当接して支持固定している。さらに支持凸部１０３ａからタッチパネル側に延びた筐体１０３の先端部１０３ｂは、タッチパネル１０１との間に隙間が設けられて、タッチパネル１０１に多少の変形が生じても誤動作しないようになっている。
【０００４】
タッチパネル部１０１と筐体１０３との間に異物１０５（原稿から取り除いたステープルの針やクリップ等、）が混入した場合（図１４（ａ）：先端部１０３ｂとタッチパネル１０１の間に異物）や、タッチパネル組立時のメカ勘合不良を生じた場合（図１４（ｂ）：筐体の変形、図１４（ｃ）：タッチパネルの変形）などの原因で、起動時からタッチパネルが押されたままの状態となることがある。
【０００５】
従来のタッチパネルによる入力に対する座標検出手順について図１５により説明する。
電源起動されて（ステップＳ１０１）、ユーザがタッチパネルを押下してタッチパネルがＯＮされたかを検出する（ステップＳ１０２）と、入力座標を確定し、その座標情報を装置本体に通知する（ステップＳ１０３）。タッチパネルの入力がＯＦＦになったかを検出し（ステップＳ１０４）、入力ＯＦＦの場合はその情報を装置本体に通知して（ステップＳ１０５）、ステップＳ１０２に戻る。入力ＯＮ状態が続いていれば、入力座標に変化があるか検出し（ステップＳ１０６）、変化がなければステップＳ１０４に戻る。入力座標に変化があれば、入力座標を確定し、その座標情報を装置本体に通知し（ステップＳ１０７）、ステップＳ１０４に戻る。
【０００６】
しかし、この検出方法であると、図１４に示した不具合により、電源起動時にすでにタッチパネルがＯＮ状態であると、ユーザの入力を全く受け付けない状態となり、入力がＯＦＦされるまで、すなわち異物の除去や修理が行われるまで、全く入力を行えなくなってしまうという問題がある。
【０００７】
そこで、特許文献１の技術では、タッチパネル部分の外周部に接触操作が無効となる領域を設け、異物の噛み込み等により誤動作しないようにしている。
【先行技術文献】
【特許文献】
【０００８】
【特許文献１】特開２００６−２４４１５４号公報
【発明の概要】
【発明が解決しようとする課題】
【０００９】
しかし、特許文献１の技術では、タッチパネル部分の外周部に接触操作が無効となる領域を設けることにより、入力可能エリアを狭めることになり、操作の自由度を狭めることになる。特に、表示エリアの小さいものや、１画面における操作事項が多数ある場合などでは、複数画面を表示させないと、１操作ができないことにもなりかねず、操作が煩雑になる可能性もある。
【００１０】
また、特許文献１の技術では、多点入力を行えないタッチパネル式入力装置において、同時に２点押されると、誤った座標の算出を行ってしまうことから、タッチパネルに図１４のような不具合があると、入力位置の正確な座標を求めることができないという問題もある。
【００１１】
本発明は、斯かる実情に鑑み、起動時からタッチパネル入力装置が押し続けられた状態であっても、入力座標を正確な値に補正しながら動作継続できるようにするタッチパネル式入力表示装置を提供することを目的とする。
【課題を解決するための手段】
【００１２】
本発明は、画像表示を行なう表示部と、その前面に配して接触入力を可能とするタッチパネル部とを備えたタッチパネル式入力表示装置において、
前記タッチパネル部への入力を検出してその入力値を出力する入力検出手段と、前記入力値に基づいて入力位置の座標を求める座標算出手段と、前記タッチパネル部がユーザ未入力でも常時入力となる異常状態の場合に、前記座標算出手段の入力座標を正しい値に補正する座標補正手段と、前記入力検出手段により前記タッチパネル部の前記異常状態を判定し、異常状態である場合に前記座標算出手段が求めた常時入力の異常位置である異常座標と、ユーザの入力座標とに基づいて、前記座標補正手段により補正可能かを判定し、補正可能な場合であれば前記座標補正手段に入力座標の補正を行なわせる座標制御手段と、を備えたことを特徴とするものである。
【００１３】
ここで、前記座標制御手段は、前記タッチパネル部が前記異常状態である場合は、ユーザに入力を指示する任意の指示位置を前記表示部に表示させ、該指示位置の座標と前記座標算出手段により算出したユーザ入力位置の座標を比較し、前記座標補正手段により補正可能であるかを判定することを特徴とする。
【００１４】
また、前記座標制御手段は、ユーザに入力を指示する任意の指示位置を、異常位置から最も遠い位置とすることを特徴とする。
【００１５】
また、前記タッチパネル部は、抵抗膜方式であり、前記座標制御手段は、前記任意の指示位置に対するユーザ入力位置の座標が、前記異常座標と前記指示位置の座標のほぼ中間点であれば、前記座標補正手段により補正可能と判定することを特徴とする。
【００１６】
また、前記座標補正手段は、異常座標を（ＸＡ，ＹＡ）、前記座標算出手段により求めたユーザ入力位置の座標を（ＸＩ，ＹＩ）、前記座標補正手段により補正した入力座標を（Ｘ，Ｙ）とすると、
Ｘ＝ＸＩ＊２−ＸＡ
Ｙ＝ＹＩ＊２−ＹＡ
と補正することを特徴とする。
【００１７】
また、前記座標制御手段は、前記タッチパネル部の異常状態により座標補正が不可能な場合は、その旨を前記表示部に表示させることを特徴とする。
【００１８】
また、前記座標制御手段は、前記座標算出部が求めた異常座標を前記表示部に表示させることを特徴とする。
【発明の効果】
【００１９】
本発明によれば、異物噛み込み等が起こり、未入力状態であっても常時入力となる異常状態になった場合も、前記座標算出手段が求めた異常入力の異常座標と、ユーザの入力座標とに基づいて、前記座標補正手段により補正可能かを判定し、補正可能な場合であれば前記座標補正手段に入力座標の補正を行なわせるので、従来技術のように接触操作入力が無効となる領域を設けずに操作可能領域を大きく保ち、異常状態であってもユーザがタッチした位置の真の座標を割り出すことができ、ユーザの操作継続を可能とするという優れた効果を奏し得る。
【００２０】
また、本発明によれば、入力の指示表示位置の座標と、座標算出手段により算出したユーザ入力位置の座標を比較し、前記座標補正手段により補正可能であるかを判定するので、補正可能な場合にのみ補正処理をすることができ、処理の効率化を図れる。
【００２１】
また、本発明によれば、ユーザに入力を指示する任意の入力位置を、異常位置から最も遠い位置とするので、異常座標と検出される入力座標が大きく異なり、座標制御手段が異常状態を判断しやすくなる。特に、タッチパネル部が抵抗膜方式であると、ユーザ入力位置の座標が、異常座標と指示位置の座標のほぼ中間点であるか否かにより、簡単に補正可能と判定することができる。これにより、座標補正手段は、入力された座標が、異常座標と真の座標の半分であることから、簡単に補正することができる。
【００２２】
また、本発明によれば、タッチパネル部の異常状態により座標補正が不可能な場合、その旨を前記表示部に表示させるので、ユーザがなぜ入力不可能であるかを知ることができ、対処が可能となる。
【００２３】
また、本発明によれば、異常座標を表示するので、異物などの異常原因を取り除くことも場合によっては可能となる。
【図面の簡単な説明】
【００２４】
【図１】本発明のタッチパネル式表示装置を備えた複合機の一例を示すブロック図である。
【図２】操作パネル部の外観図である。
【図３】操作パネル部の組み立て図である。
【図４】タッチパネルの外観図である。
【図５】パネル制御部の制御処理を示すフローチャートである。
【図６】図５に続くパネル制御部の制御処理を示すフローチャートである。
【図７】座標補正の処理を示すフローチャートである。
【図８】正常時の表示と異常時の警告表示を示す図である。
【図９】異常時の十字キー表示と警告表示を示す図である。
【図１０】複数の異常点を有する場合の警告表示を示す図である。
【図１１】異常時にあっても入力可能となる場合の確認表示を示す図である。
【図１２】異常時のサービスマンコールの警告表示を示す図である。
【図１３】従来のタッチパネル式入力表示装置の正常な状態を示す図である。
【図１４】従来のタッチパネル式入力表示装置の異常な状態を示す図である。
【図１５】従来のタッチパネル式入力表示装置の座標検出手順を示すフローチャートである。
【発明を実施するための形態】
【００２５】
以下、本発明の実施の形態を添付図面を参照して説明する。
【００２６】
図１は本発明のタッチパネル式表示装置を備えた複合機の一例を示すブロック図である。複合機１０は、コピーモード、プリンタモード、スキャナモード、及びファクシミリモードを有する装置である。
【００２７】
この複合機１０は、ユーザが操作入力を行なう操作パネル部１１、操作表示の制御や入力位置の検出を行なうパネル制御部１２、原稿を読み取って画像データとするスキャナ部１３、スキャナ部１３からの画像データや外部機器（例えばコンピュータ等）からの画像データに基づいて印刷用に処理を行なう画像処理部１４、処理画像データを保存する画像記憶部１５、記録用紙を給紙する給紙部１６、記録用紙を搬送する記録紙搬送部１７、搬送された記録紙に画像を形成する画像形成部１８、各部を制御する主制御部１９、とから構成される。
【００２８】
操作パネル部１１は、タッチパネル２１、操作スイッチ２２、ＬＣＤ２３、ＬＥＤ２４から構成される。図２に操作パネル部１１の外観図、図３に操作パネル部１１の組み立て図を示す。
【００２９】
操作パネル部１１は、表示装置であるＬＣＤ２３の前面に入力装置としてのタッチパネル２１を配置している。タッチパネル２１は透明であり、ユーザは直下のＬＣＤ２１に表示される画像を見ながら入力が可能である。タッチパネル２１、ＬＣＤ２３の周辺には複合機１０の操作スイッチ２２や処理状態を示すＬＥＤ２４が配置されている。
【００３０】
この操作パネル部１１は、図３に示すように、上から順に、各部を収納して固定する筐体４１、タッチパネル２１、ＬＣＤを収容固定するＬＣＤフォルダ４２、ＬＣＤ２３、ＬＣＤフォルダ４３、を配して組み立てる。
表示装置としては、ＬＣＤに限らず、例えばプラズマディスプレイや有機ＥＬディスプレイでも構わない。
【００３１】
図４はタッチパネル２１の外観図である。
このタッチパネル２１は、抵抗膜方式の長方形タッチパネルである。
一般に抵抗膜方式タッチパネルは、ベースとなるガラス面の表面に非常に小さなスペーサをはさみ、その表面にしなやかな透明フィルムが貼り付けられている。ガラス及びフィルムの向かい合う面には、ＩＴＯ（Ｉｎｄｉｕｍ  Ｔｉｎ  Ｏｘｉｄｅ）と呼ばれる透明な電極格子が設けられている。フィルム面をタッチすると、圧力によりフィルムがたわみ、ガラス面の電極と接触し、電気が流れ、ガラス面、フィルム面それぞれの透明電極の抵抗による分圧比を測定することで押された位置を検出する。すなわち、対向する２枚の抵抗膜のうち１枚に対して電圧をかけておくと、操作した位置に応じた電圧が２枚目に発生する。この分圧比を検知する事によりアナログ量として操作した場所を検知することができる。
【００３２】
このタッチパネル２１は、４辺の外縁部に入力動作が不可能な非動作領域５１、その内側に入力動作は可能であるが入力動作として保障しない動作保障外領域５２を設け、この動作保障外領域５２の内側がタッチ入力可能な動作領域５３である。非動作領域５１には、図１３に示したように、筐体４１の支持凸部が当接して、タッチパネル２１を支持固定している。タッチパネル２１にはパネル制御部１２に接続するフレキシブルケーブル５４が設けられており、動作領域５３での入力動作により検出した電圧値を出力する。
【００３３】
パネル制御部１２は、入力検出部３１、座標算出部３２、座標制御部３３、座標補正部３４、表示制御部３５、記憶部３６から構成される。
入力検出部３１は、タッチパネル２１を出力した電圧値をにより入力の有無を検出する。また、操作スイッチ２２の入力も検出し、座標制御部３３を介して、主制御部１９に通知される。
座標算出部３２は、検出された電圧値のＡ／Ｄ変換等を行なって入力位置の座標を求める。座標補正部３４は、タッチパネル２１に異常がある場合、座標算出部３２で算出した座標に対して正しい座標に補正を行なう。
座標制御部３３は、タッチパネル２１が正常か異常かを判定し、異常である場合には座標補正が可能か否かを判断して、補正可能な場合に座標補正部３４に座標補正を行なわせる。また、ＬＣＤ２３に表示制御部３５を介して座標処理に関する表示を行なわせる。
表示制御部３５は、主制御部１９からの指示によりＬＣＤ２３やＬＥＤ２３への表示あるいは点灯制御を行なう。また、座標制御部３３の指示により座標処理に関する表示を行う。
【００３４】
スキャナ部１３は、両面読取り可能であり、表面ＣＣＤ３７と裏面ＣＣＤ３８により両面画像を一度に読み取る。このように読み取った画像データ又は外部機器２０から送られた画像データは一旦画像記憶部１５に保存される。
画像処理部１４は、スキャナ部１３が読み取った画像データや外部機器２０からの画像データを画像記憶部１５から読み出し、圧縮や伸長など画像形成（印刷）に必要な画像処理を行なう。
給紙部１６は、複合機１０に収容されている記録紙を記録紙搬送部１７に給紙する。
記録紙搬送部１７は、給紙された記録紙を画像形成部１８まで搬送する。
画像形成部１８は、記録紙に画像を形成するものであり、レーザー走査ユニットにより記録紙にトナー画像を形成する。
主制御部１９は、複合機１０の各部を制御する。
【００３５】
次に、本発明のタッチパネル式表示装置である操作パネル部１１とパネル制御部１２について、その動作を詳しく説明する。図５及び図６は、パネル制御部１２の制御処理を示すフローチャートである。
【００３６】
複合機１０の装置電源を起動すると（ステップＳ１１）、座標制御部３３は、パネル制御部１２の入力検出部３１の検出により、タッチパネル２１が押圧されてＯＮされたかを確認する（ステップＳ１２）。ＯＮをされていない場合は、ステップＳ１６に進み、座標制御部３３がタッチパネル２１が正常と判断し、通常フローにて動作を行う。すなわち、入力検出部３１による検出値を座標算出部３２により算出した座標を主制御部１９に通知する。
【００３７】
タッチパネル２１がＯＮされている場合、入力検出部３１による検出値を座標算出部３２により座標を算出して異常座標として確定し、記憶部３６にデータ保存を行うか、主制御部１９にデータを通知する（ステップＳ１３）。座標制御部３３は、タッチパネル２１が一定時間以上ＯＮ状態であるかを確認する（ステップＳ１４）。一定時間内にＯＦＦとなれば、ＯＦＦ情報を主制御部１９に通知し（ステップＳ１５）、ステップＳ１６に進み、座標制御部３３がタッチパネル２１が正常と判断し、通常フローにて動作を行う。
【００３８】
タッチパネル２１が一定時間以上ＯＮ状態であれば、ステップＳ１７に進み、座標制御部３３は、異常状態であると判定し、表示制御部３５に対してＬＣＤ２３の画面に異常状態の画面表示をさせ、座標算出部３２で求めたＯＮしている位置の座標を記憶部３６に保存する。
図８（ａ）に示すように、通常では操作画面６１が表示されているが、タッチパネル２１が異常状態であると判断された場合は、図８（ｂ）に示すように、異常状態を報知する警告画面６２が表示される。
さらに、座標制御部３３は、図９に示すように、表示制御部３５に対してＬＣＤ２３の画面に十字キー６３を表示させ、継続使用可能であるか検査する旨の文言６４を画面に表示させる。
【００３９】
ユーザに十字キー６３を押してもらうことで、異常点（常時ＯＮになっている点）が１点か複数点かを判別し、１点の場合は継続可能である事を表示し、タッチパネルの入力を許可し、補正を行うことで真の入力値を計算してタッチパネルの使用を行う。一方複数点である場合は、継続使用できないことを表示し、ユーザにサービスマンをコールしてもらうことになる。
【００４０】
以下に具体的な異常判定の例を示す。
起動した瞬間から、座標（ｘ，ｙ）＝（２０，１０）が常時押されたままとなってしまっているとする。起動した状態から、数秒間タッチパネル２１がＯＮされたままであれば、常時ＯＮされている異常位置の対角線上の最も遠い位置に十字キー６３を表示する。この場合の例では、左上がＯＮし続けているので、右下に表示する。
異常位置の対角線上の最も遠い位置に十字キー６３を表示するのは、できるだけ十字キーの表示座標と異常座標を異なる値とすることにより、異常状態の判定を容易に且つ確実にできるようにするためである。
【００４１】
例えば、十字キー座標（ｘ，ｙ）＝（７５０，４５０）として表示し、ユーザに十字キーを押してもらうことにより、異常箇所が１点か、複数点かを判別する。タッチパネルが抵抗膜方式であるので、異常箇所が１点の場合は、ユーザが入力した十字キーの座標は、異常座標と十字キー表示位置座標の中間点になるはずである。そうでなければ、異常箇所は複数点であり、補正は不可能となる。
【００４２】
従って、
・起動時に常にＯＮされている異常座標  （ｘ，ｙ）＝（２０，１０）
・十字キー表示位置  （ｘ，ｙ）＝（７５０，４５０）
である場合は、十字キーが押されたときの入力座標は（３８５，２３０）となるはずである。ユーザが入力する位置は、微妙にずれるので、その入力誤差範囲を予め定めておき、その範囲内に入力座標が存在すれば、異常点は１個と判断できる。範囲外であれば、異常点は複数個存在すると判断する。入力誤差があっても、異常座標と十字キー表示座標の値が大きく異なるので問題はない。
【００４３】
以上を踏まえて、図７のフローチャートの説明を続ける。
座標制御部３３は、入力検出部３１により、ユーザが表示された十字キーに対する入力を行ったかを確認する（ステップＳ１８）。入力を行った場合、座標算出部３２により求めた入力座標が、異常座標と十字キー表示座標との中間点にほぼ一致するかを確認する（ステップＳ１９）。ほぼ一致としたのは、上述のように入力誤差を考慮しているからである。一致しない場合は、図１０に示すように、異常点が複数存在して補正が困難である旨の異常状態の画面表示６５を表示制御部３５にさせる（ステップＳ２４）。一致した場合は、図１１に示すように、継続入力の確認画面６６を表示制御部３５に表示させ（ステップＳ２０）、ユーザが継続使用の確認入力をしたかを確認し（ステップＳ２１）、図１２に示すように、確認入力をしない場合は異常状態の画面６７を表示制御部３５に表示させる（ステップＳ２５）。図１２においては、異常座標６８を表示しているので、ユーザが異物などを排除して、タッチパネル２１を正常に戻すことも可能となる。
【００４４】
ユーザが継続使用の確認入力を行った場合、座標制御部３３は、表示制御部３５に異常状態の画面表示をクリアさせ、座標算出部３２により求めた座標を確定し、記憶部３６に保存する（ステップＳ２２）。この保存データをもとに座標補正部３４が入力座標を補正する（ステップＳ２３）。
【００４５】
つぎに、ステップＳ２３の補正処理ついて、図７を参照しながら説明する。
まず、座標制御部３３がタッチパネル入力がＯＦＦされたかを確認する（ステップＳ３１）。ＯＦＦ状態になっていれば、タッチパネル２１が正常状態に戻ったことを意味するので、ステップ１５に戻る。ＯＮ状態であれば、主制御部１９にタッチパネル２１をユーザが押圧して入力座標に変化あった場合（ステップＳ３２）、座標制御部３３は座標算出部３２からの座標値を入力座標として確定し、記憶部３６に保存する（ステップＳ３３）。座標制御部３３はこの入力座標が常時押されている位置か、すなわちステップ１３で求めた異常点の座標（記憶部３６に保存されている座標データ）と一致するかを確認する（ステップＳ３４）。一致する場合は、ＯＦＦ状態であるとして主制御部１９に通知して（ステップＳ３７）、ステップＳ３６に進む。
【００４６】
異常座標と入力座標が一致しない場合は、入力座標について座標補正部３４にて補正を実行し、その補正座標を主制御部１９に通知する（ステップＳ３５）。さらに入力があって補正動作が継続するかどうかを確認し（ステップＳ３６）、継続する場合はステップＳ３１に戻り継続しなければ処理を終了する。
【００４７】
ステップＳ３５における座標補正部３４の座標補正は、次のように行なう。
抵抗膜タッチパネルでは、２点のパネル押し下げがあると、前述したように、その中間点での１点押し下げ時と同じ電位を検知してしまう。この為、噛み込み等の異常が一点で発生しているとすると、異常座標が（１０、２０）の場合、ユーザの入力位置が（９０、６０）の時、算出座標（Ｘ、Ｙ）は、Ｘ＝（１０＋９０）／２＝５０、Ｙ＝（２０＋６０）／２＝４０となる。
従って、この逆の補正を行えば検知位置から真の入力位置を割り出すことができる。例えば、常時ＯＮ位置（１０、２０）、入力算出座標が（５０、４０）の場合、真の入力位置の座標（Ｘ、Ｙ）はＸ＝５０＊２−１０＝９０、Ｙ＝４０＊２−２０＝６０となる。
【００４８】
すなわち、
・座標算出部３２により求めたユーザ入力座標  （ＸＩ，ＹＩ）
・異常座標  （ＸＡ，ＹＡ）
・座標補正部３４により補正した真の入力座標  （Ｘ，Ｙ）
とすると、補正座標（Ｘ，Ｙ）は以下の補正式で簡単に求めることができる。
【００４９】
Ｘ＝ＸＩ＊２−ＸＡ
Ｙ＝ＹＩ＊２−ＹＡ
【００５０】
こうして、異物噛み込み等が起こり、未入力状態であっても常時入力となる異常状態になった場合も、座標算出部３２が求めた異常入力の異常座標と、ユーザの入力座標とに基づいて、前記座標補正部３４による補正が可能かを判定し、補正可能な場合であれば座標補正部３４に入力座標の補正を行なわせるので、従来技術のように接触操作入力が無効となる領域を設けずに操作可能領域を大きく保ち、異常状態であってもユーザがタッチした位置の真の座標を割り出すことができる。
【符号の説明】
【００５１】
１０  複合機
１１  操作パネル部
１２  パネル制御部
１３  スキャナ部
１４  画像処理部
１５  画像記憶部
１６  給紙部
１７  記録紙搬送部
１８  画像形成部
１９  主制御部
２０  外部機器
２１  タッチパネル
２２  操作スイッチ
２３  ＬＣＤ
３１  入力検出部
３２  座標算出部
３３  座標制御部
３４  座標補正部
３５  表示制御部
３６  記憶部
３７，３８  ＣＣＤ
４１  筐体
４２，４３  ＬＣＤフォルダ
５１  非動作領域
５２  動作保障外領域
５３  動作領域
５４  フレキシブルケーブル
１００  タッチパネル式入力表示装置
１０１  タッチパネル
１０２  表示部
１０３  筐体
１０３ａ  支持凸部
１０３ｂ  先端部
１０４  非動作領域
１０５  異物
【図１】
2010277119.tif 000003
【図２】
2010277119.tif 000004
【図３】
2010277119.tif 000005
【図４】
2010277119.tif 000006
【図５】
2010277119.tif 000007
【図６】
2010277119.tif 000008
【図７】
2010277119.tif 000009
【図９】
2010277119.tif 000010
【図１０】
2010277119.tif 000011
【図１１】
2010277119.tif 000012
【図１２】
2010277119.tif 000013
【図１３】
2010277119.tif 000014
【図１４】
2010277119.tif 000015
【図１５】
2010277119.tif 000016
【図８】
2010277119.tif 000017